(57)【要約】【課題】一人で素早く、簡単かつ安全に、座り心地の良い安楽椅子と寝心地の良いベッドとに相互に転換でき、小さなスペースでも置くことができ、さらに移動も簡単にできるベッドに転換可能な椅子の提供。【解決手段】座面シート１０と、背もたれシート２０と、背面シート３０と、椅子本体架台５３とが丁番で順次接続され、座面シート１０が前方に引出されることでベッドに転換可能な椅子において、座面シート下部に設けられた台車４０の側面には下部を摺動面とした樹脂レール４１が設けられ、椅子本体架台には樹脂レール４１の収納部５４が設けられ、該収納部の先端には前面を斜面とし後面を垂直面とした楔形金具５５が設けられ、該楔形金具は、樹脂レール４１の収納後には後面にて該樹脂レールを係止でき、座面シートの前方への引出時もしくは後方への押込時には、楔形金具の頂部５６にて樹脂レール４１が摺動可能となっていることを特徴とするベッドに転換可能な椅子。【選択図】図３
2011055997.tif 000002
【特許請求の範囲】
【請求項１】
座面シートと、背もたれシートと、背面シートと、椅子本体架台とが丁番で順次接続され、座面シートが前方に引出されることでベッドに転換可能な椅子において、座面シート下部に設けられた台車の側面には下部を摺動面とした樹脂レールが設けられ、椅子本体架台には樹脂レールの収納部が設けられ、該収納部の先端には前面を斜面とし後面を垂直面とした楔形金具が設けられ、該楔形金具は、樹脂レールの収納後には後面にて該樹脂レールを係止でき、座面シートの前方への引出時もしくは後方への押込時には、楔形金具の頂部にて樹脂レールが摺動可能となっていることを特徴とするベッドに転換可能な椅子。
【請求項２】
請求項１に記載のベッドに転換可能な椅子において、椅子本体には方向自在キャスターが設けられ、台車には引出方向に方向固定されたキャスターが設けられ、台車が椅子本体架台に収納された後は、台車に設けられたキャスターが床より浮いた状態となっていることを特徴とするベッドに転換可能な椅子。
【請求項３】
請求項１もしくは２に記載のベッドに転換可能な椅子において、台車の側面に設けられた樹脂レールは前方に向かって下方に傾斜して設けられ、椅子本体架台に設けられた該樹脂レールの収納部は、該樹脂レールを収納し台車を床より浮かすことのできる位置で水平に設けられていることを特徴とするベッドに転換可能な椅子。
【請求項４】
請求項１〜３のいずれか１項に記載のベッドに転換可能な椅子において、台車の側面に設けられた樹脂レールの下方に、レール状ストッパーが設けられ、該ストッパーは、座面シートの前方引出時に座面シートを引上げる高さを制限するストッパーであることを特徴とするベッドに転換可能な椅子。
【発明の詳細な説明】
【技術分野】
【０００１】
本発明はベッドに転換可能な椅子に関し、特に背もたれシートと座面シートとが連動し、座面シートを引き出すことによりベッドに転換できるベッド兼用椅子に関する。
【背景技術】
【０００２】
ベッド兼用のソファーや椅子はすでに色々なタイプのものが商品化されて、病院、職場や家庭で使用されている。これらの多くのものは、ソファーや椅子の背もたれを倒してマット面の面積を増加させてベッドに転換するタイプのものである。しかしながら、これらのタイプのものはある程度の室内空間が必要であり、病室や家庭など室内空間が限られた場所で使用するには難しい面があった。また最近では、病院では個室が好まれ、病室には患者用ベッドの他に見舞客や付添者のための椅子など置かれるが、この椅子がベッドに転換できると夜も付添いが楽になる。そのため、限られた空間でも、ベッドと椅子とに相互に転換できる椅子が要望されていた。
【０００３】
これまでに、シートを３部分に分割し、丁番などで連結し、それぞれ座面シート、背もたれシート、背もたれ背面シートとし、各シートを折り畳むことで椅子（ソファー）とし、座面シートを引出し、各シートを連続した平面に引伸ばすことでベッドとすることのできる椅子は、これまでに特許文献１〜７にも示されるように既に数多くタイプのものが提案されている。
【０００４】
そして、座面シートの引出しをスムーズに行うために、特許文献１には、椅子本体の架台のベースフレームとこのフレームに組み込んだスライドフレームとを利用するものが提案され、特許文献２には、椅子本体の架台に設けられた案内路と座面シート架台に設けられたガイドローラーとを利用するものが提案され、特許文献３には座面シート（マット）の下面に脚部とキャスターとが設けられ、この脚部を持ち上げ、このキャスターを利用して座面シートを引出すものが提案されている。特許文献１や２に記載のものは、複雑な構成を必要とする。また、これらの椅子は座面シートを引き出すことで、簡単にベッドに転換できるものではあるが、座面シートはベッドに転換した場合のベッド面となるために、水平となっており、椅子として使用する場合には必ずしも座り心地がよい椅子とはいえない。
【０００５】
また、特許文献４には、略三角形状の係止片とロック片とを組み合わせて、椅子として使用する場合にはこの組み合わせでロックし、ベッドとして使用する場合にはこのロックを解除して座面シートを引き出す構造の椅子兼用ベッドが示されている。この椅子は、座面シートがコロ付き脚で移動自在となっているため、座面シートの傾きは平面のままであり、特許文献１〜３と同様に必ずしも座り心地がよい椅子とはいえない。特許文献５と６にはロック機構で背もたれの角度を調整しリクライニング可能な椅子が示されているが、座面シートの傾きは調整されない。一方、特許文献７には、座面シート前方先端のみに楔を入れて、椅子とした場合にはこの楔の作用により前方が持ちあがり、座面シートが背もたれに向けて下方に傾斜するようにした椅子兼用ベッドが示されている。このものは椅子としてセットした場合に、座面シートの前端が移動用の台車より持ち上がり、台車との間に隙間ができ、この隙間を覆う工夫が必要であった。
【０００６】
また以上のような、これまでに提案されている３部分に分割したシートによるベッドに転換できる椅子は、折り畳んだり引き出したりするのに力を要し、一人で素早く、簡単かつ安全に転換できるものではなかった。
【先行技術文献】
【特許文献】
【０００７】
【特許文献１】実開昭６３−１５９５４８号公報
【特許文献２】特公平３−８７６２号公報
【特許文献３】特開平８−２４２９７３号公報
【特許文献４】実開昭６２−７３７５１号公報
【特許文献５】実開平６−１５５５６号公報
【特許文献６】登録実用新案第３０６３８４８号公報
【特許文献７】特開昭５７−１３４１１７号公報
【発明の概要】
【発明が解決しようとする課題】
【０００８】
本願発明の課題は、一人で素早く、簡単かつ安全に、座り心地の良い安楽椅子と寝心地の良いベッドとに相互に転換でき、小さなスペースでも置くことができ、さらに移動も簡単にできるベッドに転換可能な椅子を提供することである。
【課題を解決するための手段】
【０００９】
本発明のベッドに転換可能な椅子は、座面シートと、背もたれシートと、背面シートと、椅子本体架台とが丁番で順次接続され、座面シートが前方に引出されることでベッドに転換可能な椅子であって、座面シート下部に設けられた台車の側面には下部を摺動面とした樹脂レールが設けられ、椅子本体架台には樹脂レールの収納部が設けられ、該収納部の先端には前面を斜面とし後面を垂直面とした楔形金具が設けられ、該楔形金具は、樹脂レールの収納後には後面にて該樹脂レールを係止でき、座面シートの前方への引出時もしくは後方への押込時には、楔形金具の頂部にて樹脂レールが摺動可能となっていることを特徴とする。
【００１０】
さらに上記の椅子において、椅子本体には方向自在キャスターが設けられ、台車には引出方向に方向固定されたキャスターが設けられ、かつ台車を椅子本体架台に収納後は台車に設けられたキャスターは床より浮いた状態となっていることも特徴とする。
【００１１】
さらに上記の椅子において、台車の側面に設けられた引出用樹脂レールは前方に向かって下方に傾斜して設けられ、椅子本体架台に設けられた該樹脂レールの収納部は、該樹脂レールを収納し台車を床より浮かすことのできる位置で水平に設けられていることも特徴とし、この場合、座面シートは、椅子本体架台に収納後には背もたれ向かって下方に傾斜し、前方引出後には台車に支えられて水平となる。
【００１２】
さらに上記の椅子において、台車の側面に設けられた樹脂レールの下方に、レール状ストッパーが設けられ、該ストッパーは、座面シートの前方引出時に座面シートの引上げる高さを制限するストッパーであることも特徴とする。
【００１３】
本発明の椅子に用いられる樹脂レールとは、少なくともその摺動面は摩擦係数が小さくかつ耐摩耗性に優れた合成樹脂からなるレールであって、楔形金具の頂部で摺動可能となっているものである。そのため、レール全体をこのような摩擦摩耗特性に優れた合成樹脂で作成するか、金属などの支持体材料とこの樹脂とを組合せて、摺動面である下面が樹脂面となるように作成してもよい。
【発明の効果】
【００１４】
本発明のベッドに転換可能な椅子では、樹脂レールとこのレールの収納部の先端に設けた楔形金具との組合せを用いることにより、座面シートを引出してベッドに転換したり、座面シートを押込んで椅子に戻したりする作業が一人で素早く、簡単かつ安全にできる。すなわち、座面シートの引出しに当たっては、座面シートを台車ごと持ち上げて、楔形金具にて収納部に係止されている樹脂レールを持ち上げ、摺動面を楔形金具の頂部に置き、楔形金具の頂部で摺動させ、摺動性に優れた樹脂レールの特性を十分に活かして、小さな力で座面シートをスムーズに引出し、ベッドに転換できる。一方、ベッドから椅子に転換するために、背もたれシートを折り畳むのに座面シートを押込むと、樹脂レールの摺動面の後端は楔形金具の全面の斜面に沿って楔形金具の頂部にまで押上げられ、次いで、樹脂レールの摺動面は楔形金具の頂部でスムーズに摺動し、樹脂レールは収納部に収まり、楔形金具の後面にて係止され、簡単に椅子に転換できる。このように本発明の椅子では、摺動性に優れた樹脂レールと楔形金具とを組合せた簡易な構造により、一人で素早く、簡単かつ安全に椅子とベッドとの相互の転換ができる。
【００１５】
さらに、座面シートの台車に引出方向に方向固定されたキャスターが設けられることにより、上記の作業はさらに簡単になる。また、椅子本体に方向自在キャスターが設けられ、台車に設けられたキャスターを、台車の収納後は床より浮いた状態とすることで、椅子の移動が容易に自由にでき、色々な場所に簡単に設置できる。
【００１６】
また、本発明の椅子では、座面シートは椅子とした場合には背もたれに向かって下方に傾斜し、ベッドとした場合には水平とすることができるので、座り心地の良い安楽椅子と寝心地の良いベッドとに簡単に相互の転換ができる。
【００１７】
そして本発明の椅子では、座面シートを引出すには、樹脂レールが楔形金具を乗り越えられる分だけ引上げれば十分であるが、往々にして台車を高く引上げ過ぎ、そして足元に落下させてしまうことがある。このような事態を防ぐために、台車の樹脂レールの下方にストッパーを設け、座面シートの引出しに際して、引上げる高さを限定する態様も提案した。この態様では、上方に引上げ過ぎることが防止され、椅子からベッドへの転換の作業をより安全に行うことができる。
【図面の簡単な説明】
【００１８】
【図１】本発明のベッドに転換可能な椅子の斜視図である。
【図２】ベッドに転換した、本発明のベッドに転換可能な椅子の斜視図である。
【図３】椅子からベッドに転換する各ステップの側面説明図である。
【図４】収納部、楔形金具およびストッパーの説明図である。
【発明を実施するための形態】
【００１９】
以下本発明の実施の形態につき図面を参照にして詳細に説明する。図１は本発明のベッドに転換できる椅子の斜視図である。側面５０は左右に設けられ、その上部には肘掛５１が設けられている。左右の側面５０の間に、座面シート１０と、背もたれシート２０と、背面シート３０とが設けられており、これらのシートはそれぞれ丁番で接続され、丁番を中心として回転可能となっている。したがって、座面シート１０をその下部に設けられた台車４０と共に前方に引出すことにより、図２に示されるようなベッドに転換することができる。このベッドは通常は座面シート１０を足側にし、背面シート３０を頭側にして使用される。尚、背もたれシート２０に装着されているベルト６０は、ベッドの状態から椅子の状態にするときに、掴んで引上げるのに使用される。
【００２０】
図１に示す椅子から、図２に示すベッドへの転換の機構を、図３の側面説明図を参照にして説明する。図３は、椅子の状態１から、２〜４の状態を経由してベッドの状態５となることの側面説明図である。座面シート１０を支える座面支持体１１と背もたれシート２０を支える背もたれ支持体２１とは丁番１２で接続され、背もたれ支持体２１と背面シート３０を支える背面支持体３１とは丁番２３で接続され、背面支持体３１と椅子本体架台５３とは丁番３５で接続され、それぞれが互いを接続している丁番を中心として回転可能となっている。そのため、状態１に示されるように各シート１０、２０、３０が折畳まれて椅子を形成した状態から、座面シート１０を前方に引出すことにより、２〜４の状態を経由して状態５となり、各シート１０、２０、３０は平面状に接続され、ベッドを形成することができる。
【００２１】
図３において、座面シート１０の下部に設けられた台車４０の側面には樹脂レール４１が設けられている。椅子本体架台５３には樹脂レール４１の収納部５４が水平に設けられ、収納部５４の先端には楔形金具５５が設けられている。楔形金具５５は前面が斜面で後面が垂直面となっている。椅子の状態１では、樹脂レール４１は収納部５４に収納され、この樹脂レール４１の先端は楔形金具５５の後面の垂直面で係止されている。また収納部５４は、台車４０に設けられた方向固定キャスター４５を床面ＦＬより浮き上がらせることのできる高さに調整されている。そのため椅子の状態１では、椅子本体は方向自在キャスター５２で支えられ、自由に移動可能となっている。拡大図Ａ〜Ｃは楔形金具５５と樹脂レール４１との組合せ部分を拡大した説明図であるが、拡大図Ａに示されるように、樹脂レール４１は樹脂部４２と支持部４３とからなっており、摺動面を担う樹脂部４２を下にして収納部５４に収納され、楔形金具５５の後面で係止されている。
【００２２】
収納部５４と楔形金具５５の取り付け状態は図４に示すように、椅子本体架台５３に、収納部上面が水平となるように収納部５４が取り付けられ、この収納部上面に樹脂レール４１が収納される。収納部５４の先端には楔形金具５５が取り付けられており、図４では金属板を楔形に加工し、金具基材５７と組み合わせて楔形金具５５としている。楔形金具５５の前面は斜面となっており、後面は垂直面であり収納部５４と一体化している。斜面から垂直面に変化する頂点５６にて、樹脂レール４１の樹脂部４２を摺動させて座面シート１０の引き出しや押込みを行うことができる。
【００２３】
図３の状態１から、座面シート１０を引出すには、その前部を持ち上げ、樹脂レール４１の先端を収納部５４から浮かせ、楔形金具５５の後面による樹脂レール４１の係止を解き、ついで、状態２の拡大図Ｂに示すように樹脂部４２を楔形金具５５の頂部５６の上に置き、頂部５６の上で樹脂部４２を摺動させながら座面シート１０を台車４０と共に前方へ引出す。ある程度引出した状態３では、台車４０に設けられたキャスター４５のうち前方のキャスターは床面ＦＬに接する。さらに引出した状態４では、拡大図Ｃに示すように樹脂部４２の後端４８が楔形金具５５の斜面を滑り降り、座面シート１０は台車４０のキャスター４５により支えられる。さらに、座面シート１０を台車４０と共に前方へ引出すことでベッドの状態５となる。後端４８を拡大図Ｃに示すように、斜めに切り落とした形状としておくことで、斜面の滑り降りをスムーズにすることができる。さらには、後述するように、椅子の状態１にするために、楔形金具５５の斜面を滑り上らせるときにも、スムーズに滑らすことができる。
【００２４】
ベッドの状態５では、丁番１２、２３が完全に開き、丁番３５が閉じて、各シート１０、２０、３０が平面状に接続されたベッドとなっている。この状態５では座面シート１０は水平になっており寝心地の良いベッド面となっている。一方、樹脂レール４１は前方に向かって下方に傾斜して台車４０の側面に設けられており、椅子の状態１では、この樹脂レール４１は水平に設けられた収納部５４に収納され、水平となるため、座面シート１０は背もたれシート２０に向かって下方に傾斜することになり、座り心地の良い椅子となる。
【００２５】
前記とは逆にベッドから椅子に転換するには、図３の状態５から状態４〜２を経由して状態１とすることで転換できる。まず、状態５で座面シート１０を後方に押込むのであるが、このときに図２に示されるようにベルト６０が装着されている場合には、このベルトを掴み、背もたれシート２０を軽く引上げながら、座面シート１０を台車４０と共に後方へ押込む。そして、状態４において、樹脂レール４１の樹脂部４２の後端４８が楔形金具５５の斜面に当り、さらに押込むことによりその斜面を滑り上がり、状態３〜２において、樹脂部４２は楔形金具５５の頂部５６の上を摺動し、樹脂部４２の先端が頂部５６を乗り越えたところで、収納部５４に収納され、状態１となり、樹脂レール４１は楔形金具５５の後面で係止される。
【００２６】
また、台車４０にはレール状のストッパー４４が樹脂レール４１の下方に設けられている。このストッパー４４は座面シート１０の引上げる高さを制限するものであり、図４に示すように台車４０を引上げた場合に、楔形金具５５がストッパーに当たることで引上げる高さを制限している。また、この例ではストッパー４４は樹脂部４６と支持部４７とからなり、樹脂レール４１をちょうど上下に反転した構造となっており、樹脂レール４４と平行に設けられている。これは、座面シート１０の引上げは、同シートの引出しの最初に行われるが、引上げた状態のままで引出しが行われることもあるため、このような構造としておくと引出し作業がスムーズに行えるためである。また、ここではストッパー４４は台車の側面の全幅に設けてあるが、この引上げは引出しの最初に行われるため、台車１０の前半分程度だけに設けてもよい。さらに、ストッパーとして機能すればよいので、必ずしも図で示したような樹脂部４６と支持部４７の組合せとする必要はない。
【００２７】
図に示した形態では、樹脂レール４１は樹脂部４２と支持部４３とからなるものを示したが、樹脂レール４１は少なくとも下面の摺動部分が摩擦係数の小さい耐摩耗性に優れた合成樹脂であればよく、このような構成に限られるものではない。したがって、角鋼管などの支持部にこのような合成樹脂の板状体を貼り合わせたものでもよいし、樹脂レール全体をこのような合成樹脂で作成してもよい。さらには角鋼管の表面にこのような合成樹脂をコーティングして、摺動面としたものでもよい。
【００２８】
本発明の樹脂レールの樹脂部に用いられる摩擦係数が小さくかつ耐摩耗性に優れた合成樹脂としては、ポリアセタール（ポリオキシメチレン）、ナイロン６６、ナイロン１２、ナイロン４６などのポリアミド、ポリテトラフルオロエチレンなどのフッ素樹脂、ポリプロピレン、分子量百万を超える超高分子量ポリエチレンなどが好ましく用いられる。特にポリアセタールが加工特性や摺動特性の面から好ましく、さらに摺動特性を向上するために潤滑オイルを配合したり、フッ素樹脂などを充填したりしてもよく、また、コポリマー、ホモポリマーのいずれのタイプのポリアセタールでも使用することができる。これらの合成樹脂は角柱状に成型し樹脂レールとしてもよく、板状体に成型し角鋼管などの支持体に貼り合わせたり、または支持体表面にコーティングしたりして樹脂レールとされる。
【００２９】
楔形金具は前記のように、鋼板などの金属板を楔形状に加工したものでもよいし、金属材料を楔形状に鋳造したものでもよい。さらには、金属材料ではなく、前記したような耐摩耗性に優れた合成樹脂を楔形状に成型したものでも使用できる。
【００３０】
また、本発明の椅子では、台車４０には方向固定キャスター４５が設けられ、座面シート１０の引出しや押込みをより容易にできるようになっている。そして、椅子本体には方向自在キャスター５２が設けられ、椅子本体の移動が容易にできるようになっているが、この方向自在キャスター５２にはストッパーが併設してあることが好ましい。そして、移動後にはストッパーを働かせて移動後の場所に固定したり、前述のベッドと椅子の転換作業時にもストッパーを働かせて、安全に作業ができるようにしたり、さらにベッドして使用する場合にも同様にストッパーを働かせることができるのが好ましい。
【００３１】
このように本発明の椅子では、摺動性に優れた樹脂部４２を楔形金具５５の頂部５６の上を摺動させることで小さな力で座面シート１０の引出と押込とが行え、楔形金具５５と樹脂レール４１とを組み合わせた簡易な構造により、座面シート１０の固定や固定の解除が簡単にできるため、椅子とベッドとの相互の転換が一人で素早く、簡単かつ安全にできる。
【産業上の利用可能性】
【００３２】
本発明のベッドに転換できる椅子は、一人で素早く、簡単かつ安全に、座り心地の良い安楽椅子と寝心地の良いベッドとに相互に転換でき、小さなスペースでも置くことができ、さらに移動も簡単にできるので、室内空間の限られた病院の病室などでの付添者用、病院での待合室での応急用、病院などの宿直者用などに好適に用いることができ、さらに、一般家庭、工場やオフィスの休憩室などにも用いることができる。
【符号の説明】
【００３３】
１０    座面シート
１１    座面支持体
２０    背もたれシート
２１    背もたれ支持体
３０    背面シート
３１    背面支持体
１２、２３、３５    丁番
４０    台車
４１    樹脂レール
４２    樹脂部（樹脂レール）
４３    支持部（樹脂レール）
４４    ストッパー
４５    方向固定キャスター
４６    樹脂部（ストッパー）
４７    支持部（ストッパー）
４８    樹脂部（樹脂レール）後端
５０    側面
５１    肘掛
５２    方向自在キャスター
５３    椅子本体架台
５４    収納部
５５    楔形金具
５６    頂部
５７    金具基材
６０    ベルト
【図１】
2011055997.tif 000003
【図２】
2011055997.tif 000004
【図３】
2011055997.tif 000005
【図４】
2011055997.tif 000006